(57)【要約】【課題】従来のレトルト食品包装袋を小型化し、外出先においても温かい食事が得られるようにしたレトルト食品包装袋を提供する。【解決手段】外出先に持ち運ぶことのできるように、その内容量を７０〜９０ｇの範囲内にして小型化したレトルト食品包装袋４を、熱湯８の注入された保温水筒６に挿入し、蓋をして密閉する。一定時間を経過することにより、熱湯でレトルト食品包装袋が温められ、外出先においても温かい食事をとることが可能となる。【選択図】図４
0003204253.tif 000002
【実用新案登録請求の範囲】
【請求項１】
可撓性を有する合成樹脂フィルムを貼り合わせて形成した包装袋に、内容物であるレトルト食品を充填密封したレトルト食品包装袋であって、該レトルト食品の内容量が７０〜９０ｇの範囲内となる、前記レトルト食品包装袋を熱湯の注入された保温水筒内に挿入して温めること特徴とするレトルト食品包装袋。
【考案の詳細な説明】
【技術分野】
【０００１】
本考案は、可撓性を有する合成樹脂フィルムを貼り合わせて形成した、レトルト食品を内容物とする包装袋に関するものである。
【背景技術】
【０００２】
カレーやハンバーグ等を調理したレトルト食品を包装袋に密封したものが、数多く販売されている。このようなレトルト食品は、包装袋に充填密封される前に加熱殺菌処理されているため、常温での長期保存が可能である。
【０００３】
従来、レトルト食品を食する場合、鍋等で沸かした熱湯に浸して加熱するか、或いは電子レンジで加熱する方法が採用されている。しかし、自宅等の調理器具の整った室内でレトルト食品を食するのであれば問題ないが、外出先で温めたレトルト食品を食するには、屋外ではキャンプやバーベキューに行く場合等に限定され、調理器具の無い場所においては、レトルト食品を温めることはできない。
【０００４】
夏の暑い時期ならば多少冷たい食事であっても影響は小さいと言えるが、それ以外の特に寒い時期においては温かい食事が好まれる。仕事やハイキングで外出した際に、持参した弁当が外気に触れて思いのほか冷たくなり、冷たい食事をとらざる得ないことが経験上少なくない。
【０００５】
このような場合、予め、外出前に自宅で調理した料理を、保温機能の付いた弁当箱に入れてから外出することも考えられる。確かに、温かい食事が得られるが、通常使用する弁当箱に比べてサイズが大きく嵩張るといった欠点がある。また、年に数回程度の使用であれば良いが、仕事先に持って行く場合、持ち歩きに不便であり、また、毎日調理して弁当箱に詰める作業は大変煩雑であり、忙しい労働者やあまり料理をしない者には不向きである。
【先行技術文献】
【特許文献】
【０００６】
【特許文献１】実開昭４７−３２７８３号公報
【考案の概要】
【考案が解決しようとする課題】
【０００７】
従来のレトルト食品包装袋を小型化し、外出先においても温かい食事が得られるようにしたレトルト食品包装袋を提供する。
【課題を解決するための手段】
【０００８】
本考案は、可撓性を有する合成樹脂フィルムを貼り合わせて形成した包装袋に、内容物であるレトルト食品を充填密封したレトルト食品包装袋であって、該レトルト食品の内容量が７０〜９０ｇの範囲内となる、前記レトルト食品包装袋を熱湯の注入された保温水筒に挿入して温めること特徴とするものである。
【考案の効果】
【０００９】
本考案のレトルト食品包装袋は、レトルト食品の内容量を少なくして小型化し、携帯する保温水筒に挿入して温めることよって、外出先においても温かい食事を得ることできるという利点がある。
【図面の簡単な説明】
【００１０】
【図１】図１はレトルト食品包装袋の正面図である。
【図２】図２はレトルト食品包装袋の側面図である。
【図３】図３はレトルト食品包装袋の実施形態を示した説明図である。
【図４】図４はレトルト食品包装袋の実施形態を示した断面図である。
【考案を実施するための形態】
【実施例】
【００１１】
図１は、本考案の正面図であって、可撓性を有する合成樹脂フィルムを貼り合わせて形成した包装袋４は、その素材がポリエステル、ポリプロピレン及びアルミニウム箔等の多層フィルム包装であり、包装袋の外縁四辺である側部ヒートシール面１、上部ヒートシール面２及び下部ヒートシール面３は熱溶融して接合してある。包装袋４の外寸は、縦１６０〜１８０ｍｍ、横６５〜８５ｍｍの範囲内で形成している。包装袋４には、内容物として調理したカレー等レトルト食品を加熱殺菌処理してから充填する。内容物の量は、７０〜９０ｇにする。左右両端上方に形成してある切り込み部５を横方向に引き裂いて、開封する構造となっている。
【００１２】
図２は、本考案の側面図である。２〜４に関しては、上記に記載しているので説明は省略する。
【００１３】
図３は、レトルト食品包装袋の実施形態を示した説明図であって、包装袋４を保温水筒６の内部に挿入している。包装袋を保温水筒に挿入する際に、保温水筒の挿入口が狭い場合は、包装袋を折り曲げて挿入する。水筒は熱湯が冷めにくい保温水筒を採用し、その容量が３００〜５００ｍｌ位のものが使用に適している。包装袋の体積が１００ｍｌの場合、保温水筒の最大容量から包装袋の体積１００ｍｌを差し引いた量の熱湯を注入する。包装袋４を挿入した後、保温水筒の蓋７で保温水筒６に蓋をして密閉する。
【００１４】
図４は、レトルト食品包装袋の実施形態を示した断面図であって、保温水筒６の一部を切欠けした断面図である。外出する前に、自宅等において湯を沸かし、その沸かした熱湯を保温水筒６に注ぎ、保温水筒内の熱湯８に包装袋４を浸している。レトルト食品が保温水筒内の熱湯で温められた後、持参した箸で包装袋をつまみ出すか、保温水筒内の湯を捨ててから包装袋を取り出す。
【００１５】
保温水筒内の熱湯に浸す時間は、室温が２０度の屋内において、３００ｍｌの保温水筒に熱湯２００ｍｌを注入した場合、レトルト食品の内容量が９０ｇであるレトルト食品包装袋は、２時間浸して計測した内容物の温度が６１度、３時間浸して計測した内容物の温度が５６度、４時間浸して計測した内容物の温度が５０度、５時間浸して計測した内容物の温度が４５度とそれぞれ記録した。また、同様に室温が２０度の屋内において、５００ｍｌの保温水筒に熱湯４００ｍｌを注入した場合は、レトルト食品の内容量が９０ｇであるレトルト食品包装袋は、２時間浸して計測した内容物の温度が６９度、３時間浸して計測した内容物の温度が６２度、４時間浸して計測した内容物の温度が５５度、５時間浸して計測した内容物の温度が４９度とそれぞれ記録した。外出先で冷えた弁当のご飯にレトルト食品をかけて食する場合、５５〜６０度程度の温かさがあれば、ある程度、弁当の温かさとして満足感を満たしてくれると考えられるため、測定の結果から、３００ｍｌの保温水筒に挿入して持ち運ぶ場合には、２〜３時間位経過した時がレトルト食品を弁当にかけて食する最適の時間であるといえる。また、５００ｍｌの保温水筒に挿入して持ち運ぶ場合には、３〜４時間位経過した時がレトルト食品を弁当にかけて食する最適の時間であるといえる。
【００１６】
勿論、外出先で持ち歩く場合には、当日の天候、気温、風速等によっても条件が変わるため、上記のように適温のレトルト食品を所望するのは簡単とは言えないが、厳寒期の寒冷地に外出する場合等を除き、保温水筒であれば、それほど大きな誤差が生じることは少ない。冬の寒い時期には容量の大きな保温水筒を用意し、気候の温暖な時期には小さめの保温水筒に入れて持ち運べば、適温のレトルト食品を食することは難しくない。
【産業上の利用可能性】
【００１７】
現在、様々な種類の保温水筒が販売されており、供給量が増えることで保温水筒自体の価格も低下し、入手も容易である。昨今、世界経済が低迷して、厳しい家計をやり繰りするなか、外食よりも弁当を持参する傾向が増えており、今後も安価に昼食をとる傾向が続くと推察され、レトルト食品の需要は十分に見込める。
【符号の説明】
【００１８】
１    側部ヒートシール面
２    上部ヒートシール面
３    下部ヒートシール面
４    包装袋
５    切り込み部
６    保温水筒
７    保温水筒の蓋
８    熱湯
【図１】
0003204253.tif 000003
【図２】
0003204253.tif 000004
【図３】
0003204253.tif 000005
【図４】
0003204253.tif 000006